(57)【要約】【課題】リントや異物の捕集能力を保ちつつ清掃性の向上を図る。【解決手段】フィルター装置は、水路上に設けられるものであって、水路を流れる水を通過可能な複数の通過孔が形成され、通過孔を通過する水に含まれる異物を捕集する第１捕集部を有するメインフィルター部材と、メインフィルター部材に取り付け及び取り外し可能に構成され、メインフィルター部材に取り付けられた状態では通過孔の一部を遮って通過孔を縮小しメインフィルター部材から取り外された状態では通過孔の一部を遮ることを解除して通過孔を拡大する第２捕集部を有するサブフィルター部材と、を備える。【選択図】図６
2020022622.tif 000002
【特許請求の範囲】
【請求項１】
水路上に設けられるフィルター装置であって、
前記水路を流れる水を通過可能な複数の通過孔が形成され、前記通過孔を通過する水に含まれる異物を捕集する第１捕集部を有するメインフィルター部材と、
前記メインフィルター部材に取り付け及び取り外し可能に構成され、前記メインフィルター部材に取り付けられた状態では前記通過孔の一部を遮って前記通過孔を縮小し前記メインフィルター部材から取り外された状態では前記通過孔の一部を遮ることを解除して前記通過孔を拡大する第２捕集部を有するサブフィルター部材と、
を備えるフィルター装置。
【請求項２】
前記フィルター装置は、前記メインフィルター部材に前記サブフィルター部材が取り付けられた状態において前記第１捕集部と前記第２捕集部とが格子状に組み合わされている、
請求項１に記載のフィルター装置。
【請求項３】
前記メインフィルター部材は、一方向に長く形成され、前記水路から前記フィルター装置を取り外す際にユーザが操作可能な操作取手部を更に有し、
前記サブフィルター部材は、前記メインフィルター部材の長手方向に沿って前記操作取手部から離れる方向へ動かされることで前記メインフィルター部材の前記通過孔の一部を遮ることを解除する、
請求項１または２に記載のフィルター装置。
【請求項４】
前記サブフィルター部材は、
前記サブフィルター部材における前記水路の下流側の端部に設けられ、水が通過可能な複数の孔が形成された端壁部と、
前記端壁部とは異なる位置に設けられ、前記メインフィルター部材から前記サブフィルター部材を取り外す際にユーザが操作可能なサブフィルター操作部と、を更に有する、
請求項１から３のいずれか一項に記載のフィルター装置。
【請求項５】
前記メインフィルター部材は、
前記サブフィルター部材を前記メインフィルター部材に取り付ける際に前記サブフィルター部材の取り付け位置を案内する取り付けガイド部を更に有する、
請求項１から４のいずれか一項に記載のフィルター装置。
【請求項６】
請求項１から５のいずれか一項に記載のフィルター装置を備えた洗濯機。
【発明の詳細な説明】
【技術分野】
【０００１】
本発明の実施形態は、フィルター装置、及び洗濯機に関する。
【背景技術】
【０００２】
一般に、洗濯機は、洗濯水及びすすぎ水中に含まれる糸くず等のリントや髪の毛等の異物を捕捉するためのフィルター装置を備えている。フィルター装置は、例えば水槽内の洗濯水等を機外へ排水するための排水路上や、洗濯水等を水槽の内外で循環させるための循環水路上に設けられている。このようなフィルター装置は、例えば多数の孔を有する容器形状に形成された捕集部を有している。捕集部は、水を通過させるための複数の通過孔を有している。そして、フィルター装置は、洗濯水等を、捕集部の容器形状の内側から外側へ向けて通過孔に通すことで、洗濯水等に含まれるリントを容器形状の内側であって通過孔の周囲に捕捉する。
【０００３】
しかしながら、捕集部内に捕捉されたリントや異物は、通過孔の周囲に巻き付いたり相互に絡み合ったりして捕集部から剥がれ難い。そのため、従来構成において、ユーザは、捕集部の容器形状の内側に捕捉されたリントや異物を取り除くのに手間がかかっていた。そして、このようなフィルター装置は、通過孔を小さくするほど、リントや異物の捕集性能が向上する。しかしながら、通過孔を小さくするほど、複数の通過孔に亘って複雑に巻き付き易くなるため、捕集部からリントや異物を取り除き難くなって、その結果、捕集部をきれいに清掃することが困難になる傾向がある。
【先行技術文献】
【特許文献】
【０００４】
【特許文献１】特開２０１８−６１７５１号公報
【特許文献２】特開２０１２−８０９２８号公報
【発明の概要】
【発明が解決しようとする課題】
【０００５】
そこで、リントや異物の捕集能力を保ちつつ清掃性の向上を図ったフィルター装置、及びそのフィルター装置を備えた洗濯機を提供する。
【課題を解決するための手段】
【０００６】
実施形態のフィルター装置は、水路上に設けられるものであって、前記水路を流れる水を通過可能な複数の通過孔が形成され、前記通過孔を通過する水に含まれる異物を捕集する第１捕集部を有するメインフィルター部材と、前記メインフィルター部材に取り付け及び取り外し可能に構成され、前記メインフィルター部材に取り付けられた状態では前記通過孔の一部を遮って前記通過孔を縮小し前記メインフィルター部材から取り外された状態では前記通過孔の一部を遮ることを解除して前記通過孔を拡大する第２捕集部を有するサブフィルター部材と、を備える。
【０００７】
また、実施形態の洗濯機は、上記フィルター装置を備えている。
【図面の簡単な説明】
【０００８】
【図１】第１実施形態による洗濯機の外観を示す斜視図
【図２】第１実施形態による洗濯機の内部構成を示す斜視図
【図３】第１実施形態による洗濯機の水路の構造を概略的に示す正面図
【図４】第１実施形態によるフィルターカバーの外観を示す斜視図
【図５】第１実施形態において、フィルター装置を示す斜視図
【図６】第１実施形態において、サブフィルター部材をずらした際のフィルター装置の構造を示す斜視図
【図７】第１実施形態において、メインフィルター部材にサブフィルター部材が取り付けられている状態のフィルター装置を示す拡大図
【図８】第１実施形態において、フィルター部からサブフィルター部材をはずした際のフィルター装置を示す拡大図
【図９】第１実施形態において、フィルター部を端壁部側から示す断面図
【図１０】第２実施形態において、メインフィルター部材からサブフィルター部材を外した状態のフィルター装置を示す斜視図
【図１１】第２実施形態において、フィルター部を端壁部側から示す断面図
【発明を実施するための形態】
【０００９】
以下、複数の実施形態について図面を参照しながら説明する。なお、各実施形態で実質的に同一の要素には同一の符号を付し、説明を省略する。
【００１０】
（第１実施形態）
以下では、第１実施形態について図１〜図９を参照して説明する。
図１及び図２に示す洗濯機１０は、外箱１１、扉１２、水槽１３、及び回転槽１４を備えている。なお、本実施形態において、外箱１１に対して扉１２側を洗濯機１０の前側とする。また、前後方向に対する直角水平方向を左右方向とする。洗濯機１０は、例えばドラム式洗濯機であり、水槽１３の中心軸及び回転槽１４の回転中心軸は、水平又は地面に対して傾斜している。なお、洗濯機１０は、例えばヒートポンプ式やヒータ式の乾燥機能を備えていてもよいし、備えていなくてもよい。また、本実施形態は、縦型の洗濯機に適用しても良い。
【００１１】
図１に示すように、外箱１１は、鋼板などによってほぼ矩形の箱状に形成されている。水槽１３は、外箱１１の内部に収容されており、図２に示すダンパ１５によって弾性支持されている。図２に示すように、回転槽１４は、水槽１３の内部に収容されている。水槽１３及び回転槽１４は、いずれも円筒形状の軸方向の一方側が開口し他方側が閉塞したいわゆる有底円筒状に形成されている。
【００１２】
洗濯機１０は、図２及び図３に示すように、給水装置１６、排水弁１７、循環ポンプ１８、フィルターケース４０、及びフィルター装置５０を備えている。給水装置１６は、外箱１１内にあって、水槽１３の左右の一方寄りの上部に設けられている。給水装置１６は、給水弁１６１や注水ケース１６２を有している。給水弁１６１は、図示しない水道等の外部の水源に接続されており、図示しない制御装置によって開閉制御される。給水弁１６１が開放されると、外部の水源からの水は、給水弁１６１及び注水ケース１６２を通って水槽１３に注水される。
【００１３】
排水弁１７及び循環ポンプ１８は、図２及び図３に示すように、水槽１３の下方に設けられている。排水弁１７は、例えば電磁弁であって、図示しない制御装置によって開閉駆動される。排水弁１７の流入側は、接続管１９１、１９２を介して、水槽１３の底部近傍に設けられた排水口１３１に接続されている。排水弁１７の吐出側は、排水管２０を介して機外へ繋がっている。この構成において、水槽１３の排水口１３１から排水弁１７を経由して排水管２０から機外へ至る経路を排水路Ａと称する。この排水路Ａは、洗濯機１０が備える水路の１つである。排水弁１７が開かれると、水槽１３内に貯留されている洗濯水やすすぎ水は、排水路Ａを通って機外へ排出される。
【００１４】
循環ポンプ１８は、図示しない制御装置からの制御を受けて、水の吐出量を調整可能に構成されている。循環ポンプ１８の流入側は、排水口１３１と排水弁１７との間を繋ぐ接続管１９２の途中部分に接続されている。循環ポンプ１８の吐出側は、循環ホース２１を介して、水槽１３に設けられた吐出部１３２に接続されている。この構成において、水槽１３の排水口１３１から循環ポンプ１８を経由して水槽１３の吐出部１３２から再び水槽１３に至る経路を循環水路Ｂと称する。この循環水路Ｂは、洗濯機１０が備える水路の１つである。排水弁１７が閉じられた状態で循環ポンプ１８が動作すると、水槽１３内に貯留されている洗濯水やすすぎ水は、循環水路Ｂを通って吐出部１３２から再び水槽１３及び回転槽１４内に放水される。なお、循環水路Ｂは、必ずしも備えている必要はない。
【００１５】
フィルターケース４０は、図３等に示すように、排水路Ａ上でかつ循環水路Ｂ上に設けられており、排水路Ａ及び循環水路Ｂの一部を構成している。すなわち、フィルターケース４０は、一方向へ長い円筒形状、この場合、洗濯機１０の前後方向へ長い円筒形状に形成されている。また、フィルターケース４０は、円筒形状に限られず、矩形や多角形の筒状であっても良い。
【００１６】
フィルター装置５０は、フィルターケース４０に対して抜き差しすることで着脱可能に構成されている。この場合、フィルター装置５０は、フィルターケース４０内に差し込まれることでフィルターケース４０に装着され、フィルターケース４０から引き出されることでフィルターケース４０から取り外される。
【００１７】
フィルター装置５０は、図５及び図６に示すように、メインフィルター部材６０とサブフィルター部材７０とを備えている。メインフィルター部材６０は、操作取手部６１とフィルター部６２とを備える。操作取手部６１は、機外からフィルター装置５０を着脱する際に、ユーザが操作する部分である。フィルター部６２は、フィルター装置５０のうち、フィルターケース４０に差し込まれる側に設けられている。
【００１８】
フィルター部６２は、通過孔６２１と第１捕集部６２２と取り付けガイド部６２３と、を備えている。本実施形態の場合、フィルター部６２は、洗濯機１０の前後方向に長く、短手方向の断面が台形であって、上側が開口した容器状に構成されている。
【００１９】
通過孔６２１は、フィルター部６２に複数設けられ、水を容器形状の内側から外側へ向かって通水可能にしている。第１捕集部６２２は、フィルター部６２のうち通過孔６２１が設けられていない部分である。第１捕集部６２２のうち、容器形状の内側にある面がリントを捕集する捕集面５１として機能する。取り付けガイド部６２３は図９に示すように、第１捕集部６２２の側面にフィルター装置５０の長手方向に一直線状に連なっている穴であり、第１捕集部６２２に複数列設けられている。
【００２０】
サブフィルター部材７０は、図６に示すように、フィルター部６２に対して、取り付け及び取り外し可能に構成されている。サブフィルター部材７０は、第２捕集部７１と、端壁部７２と、サブフィルター操作部７３と、を備えている。第２捕集部７１は、フィルター装置５０の長手方向に沿って、複数の棒状例えば円柱状の部材が並んでいるものである。本実施形態では、第２捕集部７１は、円柱状であるが、多角柱状でもよい。
【００２１】
サブフィルター部材７０は、第２捕集部７１を、取り付けガイド部６２３に差し込むことで、フィルター部６２に取り付けられる。この場合、サブフィルター部材７０は、第２捕集部７１が取り付けガイド部６２３に挿入されることで、フィルター装置５０の長手方向に沿った移動が案内される。
【００２２】
図７に示すように、サブフィルター部材７０がメインフィルター部材６０のフィルター部６２に取り付けられた状態において、第２捕集部７１は、通過孔６２１の一部を遮る。この第２捕集部７１によって、通過孔６２１は、水の通過可能な部分が縮小される。本実施形態では、フィルター部６２にサブフィルター部材７０が取り付けられた状態において、フィルター装置５０は、格子状のリント捕集面５１を形成する。リント捕集面５１は、メインフィルター部材６０のフィルター部６２に、サブフィルター部材７０が取り付けられた状態での、リントを捕集する部分である。
【００２３】
端壁部７２は、板状に形成されており、図６及び図７に示すように、フィルター装置５０の端部のうち、機内側、この場合、水の流れに対して下流側の端部に設けられている。端壁部７２は、水が通過可能な穴を複数有し、端壁部７２の容器内側の面はリントを捕集可能である。
【００２４】
サブフィルター操作部７３は、ユーザが操作できるような形状、例えば図６のような板状のつまみである。サブフィルター操作部７３は、端壁部７２以外の部分に設けられている。本実施形態の場合、サブフィルター操作部７３は、サブフィルター部材の長手方向に対して端壁部７２とは逆側の端部に設けられている。また、サブフィルター操作部７３は、フィルター部６２の容器形状の外側となる部分を有している。つまり、サブフィルター部材７０がメインフィルター部材６０のフィルター部６２に取り付けられた状態において、サブフィルター操作部７３の一部は、フィルター部６２の容器状の外側へ突出している。
【００２５】
本実施形態では、サブフィルター操作部７３は、サブフィルター部材７０の操作取手部６１寄りに設けられている。ユーザは、サブフィルター操作部７３をフィルター装置５０の長手方向に移動させることで、サブフィルター部材７０を操作し、フィルター部６２に取り付け及び、取り外しが可能である。
【００２６】
以上説明した実施形態によれば、洗濯機１０は、排水路Ａ上でかつ循環水路Ｂ上に設けられたフィルター装置５０を備えている。フィルター装置５０は、メインフィルター部材６０と、サブフィルター部材７０と、を備えている。メインフィルター部材６０は、排水路Ａ、及び循環水路Ｂを流れる水に含まれるリントを捕集可能なフィルター部６２を備えている。フィルター部６２は、排水路Ａ、及び循環水路Ｂを流れる水を通過可能な複数の通過孔６２１が形成され、通過孔６２１を通過する水に含まれる異物を捕集する第１捕集部６２２と、を有する。
【００２７】
サブフィルター部材７０は、メインフィルター部材６０のフィルター部６２に取り付け、及び取り外し可能に構成されている。サブフィルター部材７０は、第２捕集部７１を有している。図７に示すように、サブフィルター部材７０がフィルター部６２に取り付けられた状態において、第２捕集部７１は、通過孔６２１の一部を遮って通過孔６２１を縮小する。
【００２８】
また、図８に示すように、サブフィルター部材７０がフィルター部６２から取り外された状態において、第２捕集部７１は、通過孔６２１の一部を遮ることを解除して、通過孔６２１を拡大する。つまり、フィルター部６２にサブフィルター部材７０が取り付けられた状態における通過孔６２１の面積つまり水が通過可能な面積は、フィルター部６２にサブフィルター部材７０が取り付けられていない状態の通過孔６２１の面積つまり水が通過可能な面積より小さい。
【００２９】
なお、本実施形態において、サブフィルター部材７０がフィルター部６２から取り外された状態とは、サブフィルター部材７０がメインフィルター部材６０から完全に分離することまでは必要としない。この場合、サブフィルター部材７０がフィルター部６２から取り外された状態とは、図８に示すように、サブフィルター部材７０がフィルター部６２に対してスライドされて、メインフィルター部材６０の第１捕集部６２２とサブフィルター部材７０の第２捕集部７１とによる格子状の捕集面５１が形成されていない状態であれば良い。
【００３０】
これによれば、サブフィルター部材７０がフィルター部６２に取り付けられた状態において、フィルター部６２の通過孔６２１をサブフィルター部材７０の第２捕集部７１が遮ることで、通過孔６２１を縮小する。つまり、各通過孔６２１における水の通過可能な面積が小さくなる一方で、通過孔６２１の周囲部分の面積つまりリントや異物を捕集する面積が増加する。そのため、フィルター部６２のみの場合と比べてサブフィルター部材７０が取り付けられた状態では、小さなリントや異物をより多く捕集し易くなり、リントや異物の捕集能力が向上する。よって、サブフィルター部材７０が取り付けられた状態のフィルター装置５０は、フィルター部が単一の部材で構成されたフィルター装置と比べてもリントや異物の捕集能力を高く保つことができる。
【００３１】
また、サブフィルター部材７０がフィルター部６２から取り外された状態では、サブフィルター部材７０が取り付けられた状態の通過孔６２１より、通過孔６２１が拡大される。これにより、通過孔６２１に詰まったり通過孔６２１の周囲の捕集部６２２、７１に絡まったりしたリントや異物は、その詰まりや絡まりが解消され易くなって、容易にリントを取り除くことができる。この結果、本実施形態によれば、フィルター部６２のリントや異物の捕集能力を保ちつつ、リントの清掃を容易に行うことができる。
【００３２】
フィルター装置５０は、メインフィルター部材６０のメインフィルター部材６０にサブフィルター部材７０を取り付けられた状態において、第１捕集部６２２と第２捕集部７１とが格子状に組み合わされている。フィルター部６２と、サブフィルター部材７０は、組み合わせることで格子状のリント捕集面５１を構成する。
【００３３】
これによれば、メインフィルター部材６０とサブフィルター部材７０との取り付け及び取り外し可能な構造であっても、容易に格子状のリント捕集面５１を構成可能である。すなわち、サブフィルター部材７０は、第２捕集部７１を、サブフィルター部材７０の移動方向に沿った棒状に構成することができるため、サブフィルター部材７０の構造を簡単なものにすることができる。
【００３４】
また、リント捕集面５１と同一形状のリント捕集面を有しかつ分解不可能な従来のフィルター装置と比べても、本実施形態のフィルター装置５０は、リント捕集面５１のリントの捕集能力を保つことができる。
【００３５】
更に、分解不可能な従来のフィルター装置の場合、一部が破損した場合であってもフィルター装置そのものを交換する必要がある。一方、本実施形態のフィルター装置５０によれば、破損した箇所に合わせて、メインフィルター部材６０かサブフィルター部材７０のいずれか一方を交換すればよい。つまり、メインフィルター部材６０とサブフィルター部材７０とが、組み合わされるフィルター装置５０は、分解が不可能であるフィルター装置より、破損に対して安価に対応できる。
【００３６】
フィルター部６２は、一方向に長く形成され、排水路Ａ、及び循環水路Ｂから取り外す際にユーザが操作可能な操作取手部６１を更に有する。この場合において、サブフィルター部材７０は、フィルター部６２の長手方向に沿って操作取手部６１から離れる方向へ動かされることで、フィルター部６２の通過孔６２１の一部を遮ることを解除する。
【００３７】
通常であれば、ユーザは、フィルター装置の清掃を行う際、まず、フィルターケース４０からフィルター装置を引き出す。そして、ユーザは、フィルター装置の清掃を行うことになる。しかし、本実施形態によれば、フィルター部６２の長手方向と、サブフィルター部材７０の操作方向が一致している。これによれば、ユーザは、フィルターケース４０からフィルター装置５０を引き出す際、フィルター部６２が見える程度までフィルター装置５０を引き出し、その後、サブフィルター部材７０、特にサブフィルター操作部７３を抑えながらメインフィルター部材６０を引き出すという動作によって、メインフィルター部材６０からサブフィルター部材７０を取り外すことができる。つまり、ユーザは、フィルターケース４０からフィルター装置５０を引き出す一連の動作の中で、フィルター部６２からサブフィルター部材７０を取り外すことができる。これにより、ユーザは、フィルター装置５０の清掃を速やかに開始することができる。
【００３８】
また、サブフィルター部材７０は、フィルター部６２の長手方向に沿って動かされることで、フィルター部６２の通過孔６２１の一部を遮ることを解除する。つまり、サブフィルター部材７０は、フィルター部６２の長手方向に沿ってスライドすることで、フィルター部６２から取り外すことが可能な構造である。サブフィルター部材７０のスライド方向を長手方向とすることで、通過孔６２１を遮るために必要な第２捕集部７１の数を、サブフィルター部材７０のスライド方向が短手方向である場合に比べて少なくすることができる。よって、サブフィルター部材７０の構造を簡素にできる。そして、サブフィルター部材７０の構造を簡素にすることで、サブフィルター部材７０がメインフィルター部材６０の取り付けガイド部６２３に挿入されて摺動する箇所を低減することができ、その結果、その摺動によってサブフィルター部材７０が破損することを抑制できる。
【００３９】
サブフィルター部材７０は、端壁部７２と、サブフィルター操作部７３と、を有する。端壁部７２は、サブフィルター部材７０における排水路Ａ、及び循環水路Ｂの下流側の端部に設けられている。端壁部７２は、水が通過可能な複数の穴が形成されている。サブフィルター操作部７３は、端壁部７２とは異なる位置に設けられている。サブフィルター操作部７３は、フィルター部６２からサブフィルター部材７０を取り外す際にユーザが操作可能である。
【００４０】
すなわち、サブフィルター部材７０のうち端壁部７２は、フィルター装置５０の下流側にあるため特に汚れ易い。これに対し、サブフィルター操作部７３は、フィルター部６２の容器形状の外側となる部分があるように設けられている。そして、ユーザは、このサブフィルター操作部７３のうちフィルター部６２の容器形状の外側となる部分を持って操作することができる。これによれば、ユーザは、汚れやすい端壁部７２を触らずにフィルター部６２からサブフィルター部材７０を取り外すことができる。その結果、ユーザは衛生的メインフィルター部材６０からサブフィルター部材７０を取り外すことができる。
【００４１】
メインフィルター部材６０のフィルター部６２は、取り付けガイド部６２３を有する。取り付けガイド部６２３は、フィルター部６２にサブフィルター部材７０を取り付ける際にサブフィルター部材７０の取り付け位置を案内する。本実施形態の取り付けガイド部６２３は、第１捕集部６２２の側面に、長手方向に連なった穴である。フィルター部６２にサブフィルター部材７０を取り付ける際に、ユーザは、取り付けガイド部６２３に第２捕集部７１を差し込むことで、リント捕集面５１を形成できる。つまり、取り付けガイド部６２３があることで、ユーザは、サブフィルター部材７０を正しい位置に取り付けることができる。よって、ユーザは、フィルター装置５０を正しく利用し、水路が詰まるなどのトラブルを回避できる。
【００４２】
（第２実施形態）
以下では、第２実施形態について図１０及び１１を参照して説明する。本実施形態の構成は、取り付けガイド部６２４、サブフィルター部材８０、及びサブフィルター操作部８１以外、第１実施形態と同様とする。本実施形態の取り付けガイド部６２４は、図１１に示すように第１捕集部６２２の上面にフィルター装置５０の長手方向に一直線状に連なった溝であり、第１捕集部６２２に複数列設けられている。
【００４３】
そして、図１０に示すように、本実施形態では、フィルター部６２にサブフィルター部材８０を取り付けた状態において、第１捕集部６２２の上部に第２捕集部７１が重なることで、格子状のリント捕集面５１となる。サブフィルター操作部８１は、端壁部７２と同様の外形形状であって、穴を有さない板状に形成されている。第２捕集部７１の一端部は、端壁部７２に接続されており、他端部はサブフィルター操作部８１に接続されている。つまり、本実施形態の端壁部７２及びサブフィルター操作部８１は、第２捕集部７１によって連結されている。
【００４４】
ユーザは、サブフィルター操作部８１をつまみ、サブフィルター部材８０を、長手方向に沿って移動させることで、フィルター部６２へのサブフィルター部材８０の取り付け、取り外しを行うことができる。また、サブフィルター部材８０を上方へ移動することでフィルター部６２からサブフィルター部材８０を取り外し、また、サブフィルター部材８０をフィルター部６２の上方からはめるようにして取り付けても良い。
【００４５】
以上説明した実施形態によっても、上記第１実施形態と同様の作用効果が得られる。すなわち、フィルター部６２にサブフィルター部材８０を取り付けた状態において、第１捕集部６２２の上部に第２捕集部７１が重なるようにすることで、第１捕集部６２２と、第２捕集部７１と、が接する面積が減少し、サブフィルター部材７０をスムーズに移動できるようになる。すなわち、ユーザは、フィルター部６２へのサブフィルター部材８０取り付け、及び取り外しを容易に行うことができる。
【００４６】
また、端壁部７２及びサブフィルター操作部８１は、第２捕集部７１によって連結されている。そのため、第２捕集部７１が折れ曲がったりすることを抑制でき、サブフィルター部材８０の全体の形状が安定する。
なお、フィルター部６２にサブフィルター部材７０を取り付けた状態において、第１捕集部６２２の下部に第２捕集部７１が重なるようにしても良い。
【００４７】
以上、本発明のいくつかの実施形態を説明したが、これらの実施形態は例として提示したものであり、発明の範囲を限定することは意図していない。これら実施形態は他の様々な形態で実施されることが可能であり、発明の要旨を逸脱しない範囲で、種々の省略、置き換え、変更を行うことができる。これら実施形態やその変形は、発明の範囲や要旨に含まれる内容と同様に、特許請求の範囲に記載された発明とその均等の範囲に含まれるものである。
【符号の説明】
【００４８】
図面中、１０は洗濯機、５０はフィルター装置、６０はメインフィルター部材、６１は操作取手部、６２１は通過孔、６２２は第１捕集部、６２３は取り付けガイド部、７０はサブフィルター部材、７１は第２捕集部、７２は端壁部、７３はサブフィルター操作部、を示す。
【図１】
2020022622.tif 000003
【図２】
2020022622.tif 000004
【図３】
2020022622.tif 000005
【図４】
2020022622.tif 000006
【図５】
2020022622.tif 000007
【図６】
2020022622.tif 000008
【図７】
2020022622.tif 000009
【図８】
2020022622.tif 000010
【図９】
2020022622.tif 000011
【図１０】
2020022622.tif 000012
【図１１】
2020022622.tif 000013